(57)【要約】【課題】従来の筐体では、金属プレート層品のように自由な形状を形作ることができず、また、モールド部品に対して強固な固定ができないため強度が劣る。【解決手段】カメラ本体１００の少なくとも一部を覆う表示装置側パネル４２であって、その表示装置側パネル４２は、ダイカスト成型される偏平の金属プレート層６０を内面に配し、その金属プレート層６０の外面の略全体を覆うように外面にモールド成型される偏平の樹脂プレート層６１，６２を配し、金属プレート層６０と樹脂プレート層６１，６２による２層構造として構成した。【選択図】図７
2008164799.tif 000002
【特許請求の範囲】
【請求項１】
電子機器本体の少なくとも一部を覆う筐体であって、
前記筐体は、ダイカスト成型される偏平の金属プレート層を内面に配し、当該金属プレート層の外面の略全体を覆うように外面にモールド成型される偏平の樹脂プレート層を配し、前記金属プレート層と前記樹脂プレート層による２層構造として構成した
ことを特徴とする電子機器の筐体。
【請求項２】
前記樹脂プレート層に、その表裏面間を貫通する開口部を設け、当該開口部から前記金属プレート層の一部を露出させると共に、当該露出部の表面に外装シートを貼着した
ことを特徴とする請求項１記載の電子機器の筐体。
【請求項３】
前記樹脂プレート層に、その表裏面間を貫通する樹脂側開口部を設けると共に、前記金属プレート層に、前記樹脂側開口部と重なり合ってその表裏面間を貫通する金属側開口部とネジ穴を設け、前記金属側開口部を貫通させて前記樹脂側開口部から前記電子機器本体の部品の一部を露出させると共に当該部品を前記ネジ穴を用いて前記金属プレート層にネジ止めした
ことを特徴とする請求項１記載の電子機器の筐体。
【請求項４】
前記金属プレート層にネジ穴を設け、当該金属プレート層に前記電子機器本体又は当該電子機器本体の部品をネジ止めした
ことを特徴とする請求項１記載の電子機器の筐体。
【請求項５】
前記金属プレート層に、その表裏面間を貫通する金属側開口部を設けると共に、前記樹脂プレート層の前記金属側開口部と対応する位置に通気孔を設けた
ことを特徴とする請求項１記載の電子機器の筐体。
【請求項６】
前記筐体の、強度を必要とする部分では前記金属プレート層の厚さを前記樹脂プレート層の厚さよりも厚くし、強度を必要としない部分では前記樹脂プレート層の厚さを前記金属プレート層の厚さよりも厚くした
ことを特徴とする請求項１記載の電子機器の筐体。
【請求項７】
前記金属プレート層は、マグネシウムダイカストによって形成した
ことを特徴とする請求項１記載の電子機器の筐体。
【請求項８】
電子機器本体の少なくとも一部を筐体で覆うようにした電子機器であって、
前記筐体は、ダイカスト成型される偏平の金属プレート層を内面に配し、当該金属プレート層の外面の略全体を覆うように外面にモールド成型される偏平の樹脂プレート層を配し、前記金属プレート層と前記樹脂プレート層による２層構造として構成した
ことを特徴とする電子機器。
【発明の詳細な説明】
【技術分野】
【０００１】
本発明は、撮像装置や音響機器その他の電子機器に用いられる筐体及び、その筐体を備えた電子機器に関し、特に、偏平の金属プレート層を内面に配し、外面に偏平の樹脂プレート層を配して、金属プレート層と樹脂プレート層との２層構造として構成した筐体及びその筐体を備えた電子機器に関するものである。
【背景技術】
【０００２】
従来の電子機器の筐体としては、例えば、特許文献１に記載されているようなものがある。特許文献１には、電子回路及び種々の機構部を外筐体内に収納して構成された電子機器に関するものが記載されている。この特許文献１に記載された電子機器（以下「第１の従来例」という。）は、「マグネシウムダイカストより形成されたメインシャーシを有し、上記メインシャーシは、外筐体の外殻部の少なくとも一部を構成すると共に、該外筐体内に収納される部材を保持している」ことを特徴としている。
【０００３】
このような構成を有する電子機器によれば、「外筐体が充分な強度、堅牢性を有しながら、重量が抑えられ、また、該外筐体の構成が簡素化され、組立て、製造が容易化された電子機器を提供することができる。」（明細書の段落［００６６］）という効果を得ることができる。
【０００４】
また、従来の電子機器の他の例としては、例えば、特許文献２に記載されているようなものもある。特許文献２には、ディスク状記録媒体を情報記憶メディアとして使用する撮像装置に用いて好適であって、外装ケース内に発熱源を有するディスク記録及び／又は再生装置に関するものが記載されている。この特許文献２に記載されたディスク記録及び／又は再生装置（以下「第２の従来例」という。）は、「着脱自在に装着されるディスク状記録媒体を回転駆動するテーブル回転装置と、前記テーブル回転装置により回転駆動される前記ディスク状記録媒体に対して情報信号の記録及び／又は再生を行うピックアップ装置と、前記テーブル回転装置及び前記ピックアップ装置を駆動制御するための制御回路が搭載されたプリント基板と、前記テーブル回転装置、前記ピックアップ装置及び前記プリント基板が収納される外装ケースと、を備えたディスク記録及び／又は再生装置において、前記外装ケースに、両端が一面又は二面に開口される流体通路を設けると共に、前記流体通路内にファンを設けた」ことを特徴としている。
【０００５】
このような構成を有するディスク記録及び／又は再生装置によれば、「流体通路を通して外装ケースの外から外へと冷却用の空気を流すことにより、外装ケース内の熱を流体通路から外部に排出することができる。これにより、外装ケース内の発熱源で発生した熱を外部に放熱させ、テーブル回転装置やピックアップ装置が熱影響を受けて高温になるのを防止又は抑制して、テーブル回転装置等が必要以上に高温となって誤動作を生じたり、回転効率が悪くなるのを防止又は抑制することができる。」（明細書の段落［００２０］）という効果を得ることができる。
【特許文献１】特開平８−２３６９５１号公報
【特許文献２】特開２００５−６３５３４号公報
【０００６】
しかしながら、上述した第１の従来例の場合には、外筐体の一部をなすメインシャーシをマグネットダイカストにより形成しているため、薄くても十分な強度を有し、堅牢性を維持することができるという特徴を有するが、マグネットダイカストの表面は一般にザラザラしており、外観上の見栄えが悪かった。そのため、マグネットダイカストを外装体に用いる場合には、その表面を研磨等して磨いたり、塗料を塗布して塗装を施す等によって外観上の体裁を良くする処理が行われていた。その結果、ダイカストを筐体として使用する場合には、その肉厚を薄くすることができる一方、表面の処理に手間と費用が掛り、不経済であるという問題があった。更に、マグネットダイカストにおいても、肉厚を薄くするためにはリブ等の補強部が必要となるが、補強用のリブ等を設けると、表面側にヒケ（鋳肌の表面にできるくぼみ）が出てしまうことがある。そのため、マグネットダイカストをそのまま外筐体に使う場合においても、その肉厚は所定以上の厚さにする必要があった。
【０００７】
これに対して、上述した第２の従来例の場合には、外装ケースがプラスチックによって形成されており、プラスチック自体の表面が綺麗であるため、成型後の後処理を必要とせず、外観上の見栄えが優れていた。ところが、一般に、プラスチックの強度が低いために、外装ケースとして用いる場合には、その肉厚を大きくして強度を高める必要があった。しかも、プラスチックは比較的熱伝導性が劣るため、高温となる熱源からの熱を外部に放熱するための放熱構造が複雑になっていた。そのため、プラスチックを外筐体に使う場合には、その表面が綺麗であって表面処理が不要であることからその分のコストダウンを図ることができるが、強度が弱いために肉厚を厚くする必要があり、結果として、装置全体の薄型化、小型化に反することになるという問題があった。
【発明の開示】
【発明が解決しようとする課題】
【０００８】
解決しようとする問題点は、筐体をダイカストによる金属で形成すると、その肉厚を薄くすることができるが、表面処理が必要となるため、手間と費用が掛かることになる。一方、筐体をプラスチックで形成すると、その外観上の見栄えを良くすることができるが、強度が十分でないため肉厚を厚くする必要があり、装置全体の薄型化、小型化に反することになるという点である。
【課題を解決するための手段】
【０００９】
本出願の電子機器の筐体は、電子機器本体の少なくとも一部を覆う筐体であって、その筐体は、ダイカスト成型される偏平の金属プレート層を内面に配し、その金属プレート層の外面の略全体を覆うように外面にモールド成型される偏平の樹脂プレート層を配し、金属プレート層と樹脂プレート層による２層構造として構成したことを最も主要な特徴とする。
【００１０】
また、本出願の電子機器は、電子機器本体の少なくとも一部を筐体で覆うようにした電子機器であって、筐体は、ダイカスト成型される偏平の金属プレート層を内面に配し、その金属プレート層の外面の略全体を覆うように外面にモールド成型される偏平の樹脂プレート層を配し、金属プレート層と樹脂プレート層による２層構造として構成したことを特徴としている。
【発明の効果】
【００１１】
このように構成することにより、本出願の電子機器の筐体及びその筐体を備えた電子機器によれば、筐体の外面を樹脂プレート層とし、内面を金属プレート層として、樹脂プレート層と金属プレート層の２層構造で一体的に構成する。そして、剛性を金属プレート層で受け持ち、体裁は樹脂プレート層で受け持つようにした。そのため、樹脂プレート層と金属プレート層のどちらの肉厚も薄くすることができ、肉厚が薄いにも係わらずある程度の強度を有する筐体を提供することができる。従って、ダイカストを体裁面としたときに比べて安価に製造できると共に、外観上の見栄えの良い筐体を得ることができる。しかも、金属プレート層が高温となった場合にも、その高温部を樹脂プレート層で覆うことにより、その高温部に手が触れるおそれをなくして安全性の向上を図ることができると共に、放熱の効率を高めることができる。
【発明を実施するための最良の形態】
【００１２】
筐体を樹脂プレート層と金属プレート層の２層構造にて一体的に構成し、剛性を金属プレート層で受け持ち、体裁を樹脂プレート層で受け持つ。これにより、体裁面の良さを確保しつつ強度の向上を図ることができる筐体を、安価に製造することができる電子機器の筐体、及びその筐体を備えた電子機器を、簡単な構成によって実現した。
【００１３】
図１〜図１６は、本発明の実施の形態の例を示すものである。即ち、図１〜図３は、本発明の筐体を有する電子機器の第１の実施の例を示すビデオカメラの前側外観斜視図、後側外観斜視図、側面図である。図４〜図６は、本発明の筐体を示すもので、外面図、外面斜視図、内面斜視図である。図７〜図９は、同じく筐体を示すもので、金属プレート層と樹脂プレート層の外側から見た分解斜視図、樹脂プレート層の内面斜視図、金属プレート層の内面斜視図である。図１０Ａ，１０Ｂは操作ボタン連結体の説明図である。図１１は図３のＸ−Ｘ線断面図である。図１２は図４のＹ−Ｙ線断面図、図１３は図４のＺ−Ｚ線断面図である。図１４は筐体と電子機器本体の関係を示す説明図、図１５Ａ，１５Ｂは電子機器本体及び金属プレート層の側面図とその熱分布を示す説明図、図１６Ａ，１６Ｂは電子機器本体及び金属プレート層の底面図とその熱分布を示す説明図である。
【実施例１】
【００１４】
まず、本発明の筐体を有する電子機器の第１の実施の例としてあげる撮像装置について、図１乃至図３を参照して説明する。図１〜図３に示す装置は、撮像装置の第１の実施の例として適用したデジタルビデオカメラ１である。このデジタルビデオカメラ１は、情報記憶媒体の一具体例を示す光ディスクを情報記憶メディアとして使用し、光学的な画像を、撮像機構の一具体例を示す撮像素子｛例えば、ＣＣＤ（電荷結合素子）、ＣＭＯＳイメージセンサ等｝で電気的な信号に変換して、その画像情報を光ディスクに記録したり、液晶ディスプレイ等の平面パネルからなる表示装置に表示できるようにしたものである。
【００１５】
しかしながら、本発明の電子機器の一具体例を示す撮像装置に使用される情報記憶媒体としては、この実施例で示す光ディスク（ＤＶＤ−Ｒ、ＤＶＤ−ＲＷ、ＤＶＤ−ＲＡＭ等）に限定されるものではなく、例えば、ＭＯ、ＦＤその他の記録可能な光磁気ディスク、磁気ディスク等のディスク状記録媒体を用いることができる。これらのディスク状記録媒体を使用する電子機器としては、例えば、光磁気ディスクを用いる場合には光磁気ディスク式スチルカメラとして適用可能であり、更に、磁気ディスクを用いる場合には磁気ディスク式電子手帳として実現することができる。
【００１６】
また、本発明に適用可能な情報記憶媒体としては、上述したようなディスク状記録媒体に限定されるものではなく、例えば、磁気テープを使用したテープ状記憶媒体、半導体メモリを使用した半導体記憶媒体、メモリカードを使用したカード状記憶媒体等のように各種の記憶媒体を用いることができるものである。
【００１７】
図１〜図３に示すように、デジタルビデオカメラ１は、外観形態を構成する筐体の一具体例を示す外装ケース２と、この外装ケース２の内部に収納されると共に着脱自在に装着される光ディスクを回転駆動して情報信号の記録（書き込み）及び再生（読み出し）を行うディスクドライブ装置と、このディスクドライブ装置の駆動制御等を行う制御回路と、被写体の像を光として取り込んで撮像素子に導くレンズ装置３と、外装ケース２に回動自在に取り付けられた表示装置４等を備えて構成されている。
【００１８】
外装ケース２は、略直方体をなす中空の筐体からなり、図１１等に示すように、左右方向に対向させて配置された駆動装置側パネル４１及び表示装置側パネル４２と、両パネル４１，４２を組み合わせることによって構成される筒体の前側開口部を閉じるフロントパネル４３と、その筒体の後側開口部を閉じるリアパネル４４を有している。この外装ケース２は、長手方向を前後方向に設定すると共に幅方向に立ち上げたような状態で使用されている。この外装ケース２の上部に、レンズ系の撮像レンズである対物レンズ５を正面に露出させた状態でレンズ装置３が配設されている。
【００１９】
レンズ装置３は、そのレンズ系の光軸を水平方向に向けた状態で外装ケース２に取り付けられている。この外装ケース２の内部において、レンズ装置３の後部に撮像素子が取り付けられている。そして、レンズ装置３の後方に、そのレンズ装置３から入力された被写体の画像を写し出すビューファインダ装置６が配置されている。更に、外装ケース２の上部には、ビデオライトや外付けマイクロホン等のアクセサリーが着脱自在に装着されるアクセサリーシューを露出させる開口部が設けられている。アクセサリーシューはビューファインダ装置６の直前に配置されており、通常は、開口部を開閉するシューキャップ７によって着脱可能に覆われている。更に、外装ケース２の前面には、フラッシュ装置の発光部８が配置され、また、ステレオ方式のマイクロホン９が内蔵されて配置されている。
【００２０】
外装ケース２の一方の側面である表示装置側パネル４２には、表示装置４が姿勢変更可能に取り付けられている。表示装置４は、平板状の液晶ディスプレイ等からなる平面パネル１０と、この平面パネル１０が収納されたパネルケース１１と、このパネルケース１１を外装ケース２に対して姿勢変更可能に支持するパネル支持部１２とを備えて構成されている。パネル支持部１２は、垂直軸を回動中心としてパネルケース１１を水平方向に略９０度回動可能とした水平回動部と、水平軸を回動中心としてパネルケース１１を前後方向に略１８０度回動可能とした前後回動部とを有している。
【００２１】
これにより、表示装置４は、図１に示すように外装ケース２の側面に収納した収納状態と、図２に示すようにパネルケース１１を水平方向へ９０度回動させて平面パネル１０を後方へ対向させた状態と、その後方対向状態からパネルケース１１を１８０度回動させて平面パネル１０を前方へ対向させた状態と、それらの中間位置の状態とを任意に取ることができるようになっている。この表示装置４の上方の外装ケース２の上面には、複数の操作ボタンからなる操作部１３が設けられている。
【００２２】
外装ケース２の表示装置４と反対側の側面である駆動装置側パネル４１には、光ディスクが着脱可能に装着されるディスク装着部を開閉自在に覆うディスクカバー１４が開閉可能に設けられている。ディスクドライブ装置は、ターンテーブルに装着された光ディスクを所定速度（例えば、線速度一定）で回転駆動すると共に、光ピックアップを光ディスクの半径方向に移動させ、光ディスクの情報記録面に対して情報信号の記録（書き込み）及び／又は再生（読み出し）を行う装置である。このディスクドライブ装置を覆うディスクカバー１４には、モード選択スイッチを兼ねる電源スイッチ１５と、静止画の撮影を行うシャッタボタン１６と、所定の範囲内で画像を連続的に拡大（テレ）又は縮小（ワイド）させるズームボタン１７と、ディスクカバー１４のロックとそのロック解除を行う開閉スイッチ１８と、動画撮影を行う録画ボタン１９等が設けられている。
【００２３】
電源スイッチ１５は、回動操作によって電源をオン・オフ切り換える機能と、電源をオンした状態で回動操作することにより複数の機能モードを繰り返すように切り換える機能とを有している。更に、図示しないが、ディスクカバー１４にはハンドベルトが取り付けられており、そのハンドベルトにはハンドパッドが装着されている。ハンドベルト及びハンドパッドは、外装ケース２を握るユーザーの手を支え、デジタルビデオカメラ１の取り落とし等を防止するものである。
【００２４】
外装ケース２の背面であるリアパネル４４には、携帯用電源である図示しないバッテリー装置が着脱可能に装着されるバッテリー収納部２１が設けられている。バッテリー収納部２１は、外装ケース２の背面の略中央に配設されており、外装ケース２の背面を構成するリアパネル４４において後方へ開口するように設けられている。このリアパネル４４のバッテリー収納部２１の右側には前記録画ボタン１９が配置されている。
【００２５】
また、図２〜図４に示すように、駆動装置側パネル４１の外側に表示装置４が配置されている。表示装置４のパネルケース１１の前部にパネル支持部１２が設けられており、このパネル支持部１２を回動中心としてパネルケース１１が水平方向及び垂直方向へ回動自在に構成されている。パネルケース１１の内面には、横長とされた長方形の開口窓４５が設けられており、この開口窓４５に平面パネル１０が嵌め込まれている。そして、パネルケース１１の内面の下辺に、メニュー切換ボタン４６とズームボタン４７とスタート・ストップボタン４８が配設されている。
【００２６】
駆動装置側パネル４１には、図示しない外部記憶装置が着脱可能に装着される記憶媒体挿入口５０と、４つの操作ボタン５１〜５４と、スピーカ装置のための多数の微小な透孔５５と、平面パネル１０を保護する防傷シート５６と、パネルケース１１のクッション材５７が設けられている。記憶媒体挿入口５０は、使用される情報記憶媒体の大きさに対応する大きさのスリット穴として形成されており、その長手方向を上下方向に延在させて設けられている。この記憶媒体挿入口５０は、駆動装置側パネル４１のパネル支持部１２と反対側において、パネルケース１１の開口窓４５の内側となる位置に配置されている。
【００２７】
４つの操作ボタン５１〜５４のうち、第１の操作ボタン５１は再生ボタン、第２の操作ボタン５２は電池残量チェックボタン、第３の操作ボタン５３はメニュー簡易操作ボタン、第４の操作ボタン５４はリセットボタンである。これら４つの操作ボタン５１〜５４は、駆動装置側パネル４１の下辺側において、パネルケース１１の開口窓４５の内側となる位置に横並びに配置されている。多数の微小な透孔５５は、記憶媒体挿入口５０の斜め上方であって、同じくパネルケース１１の開口窓４５の内側となる位置に設けられている。これら透孔５５の内側に、図に表れないスピーカ装置が配置されている。
【００２８】
防傷シート５６は、駆動装置側パネル４１の金属プレート層が体裁面として表面に出ないようにして平面パネル１０を保護するものである。そのため、防傷シート５６は、その一部がパネルケース１１の開口窓４５の外側に設けられた枠部分、特に、パネル支持部１２側の縦枠部分と重なり合う形状とされている。この防傷シート５６の材質としては、例えば、ポリカーボネート（ＰＣ）やポリプロピレン（ＰＰ）等が好適である。また、駆動装置側パネル４１の防傷シート５６と反対側に２つのクッション材５７，５７が配置されている。２つのクッション材５７，５７は、上下方向へ適宜な間隔をあけると共に、パネルケース１１の縦枠部分と重なり合う位置に配置されている。
【００２９】
駆動装置側パネル４１は、いわばハイブリッド筐体を構成するものであり、表面をプラスチックによる樹脂プレート層とすると共に、その内側をマグネシウム合金等の金属プレート層で構成し、樹脂プレート層と金属プレート層との２層構造として構成されている。このように構成したハイブリッド筐体によれば、プラスチックで形成した筐体と同じ程度の安さでありながら、強度の高いフレームとして使用することができ、ダイカストをそのまま表面に使用する場合に比べて極めて安価に製造することができる。しかも、このハイブリッド筐体によれば、スイッチその他の電子部品や、小物の機械部品等をそのまま取り付けることができ、従って、内部のフレーム構造等を簡略化することができる。更に、ハイブリッド筐体の表面に防傷シート５６等を貼り付けることにより、使用者の触感温度を下げることができると共に、放熱効率を高めることができるという効果が得られる。
【００３０】
図５〜図９に示すように、駆動装置側パネル４１は、この実施例では、１つの金属プレート層６０と、別部材で形成された２つの樹脂プレート層６１，６２との組み合わせによって構成されている。２つの樹脂プレート層６１，６２は、上下方向に連結された第１の樹脂プレート層６１と第２の樹脂プレート層６２とからなり、第１の樹脂プレート層６１が側面部の大部分を占めており、第２の樹脂プレート層６２は側面部の下部とその下端に連続して９０度折り曲げられた下面部に亘る部分を占めるように構成されている。そして、２つの樹脂プレート層６１，６２は、互いに重なり合う部分の複数個所に設けたカシメ部６４（図８を参照）をカシメ止めすることにより一体的に構成されている。
【００３１】
図５〜図８に示すように、第１の樹脂プレート層６１は、側面に現れる平面部６１ａと、この平面部６１ａの上下に連続する上面部６１ｂ及び下面部６１ｃと、平面部６１ａのパネル支持部１２と反対側に連続する側面部６１ｄとを有しており、平面部６１ａのパネル支持部１２側には金属プレート層６０の一対の軸受部６５ａ，６５ｂが係合される係合部６１ｅ，６１ｆが設けられている。上面部６１ｂと下面部６１ｃと側面部６１ｄは、それぞれ背面側に突出されている。そして、下面部６１ｃには第１の係合爪６６ａが設けられ、側面部６１ｄには第２の係合爪６６ｂと第３の係合爪６６ｃが設けられている。これら３つの係合爪６６ａ〜６６ｃは、それぞれ内側に突出されていて、金属プレート層６０を係合して脱落しないように保持する。
【００３２】
この第１の樹脂プレート層６１には、上述した記録媒体挿入口５０を有する記録媒体収納ホルダ６７が嵌合される嵌合穴６８と、４つの操作ボタン５１〜５４が嵌合される４つのボタン穴６９ａ，６９ｂ，６９ｃ，６９ｄと、金属プレート層６０の放熱部７０が嵌合される放熱嵌合穴７１と、前述した多数の透孔５５等が、それぞれ表裏面間を貫通するように設けられている。前記複数のカシメ部６４は下面部６１ｃに設けられており、その下面部６１ｃに第２の樹脂プレート層６２の平面部６２ａの上部が重ね合わされ、カシメ止めされている。
【００３３】
４つのボタン穴６９ａ，６９ｂ，６９ｃ，６９ｄのうち、第１のボタン穴６９ａには再生ボタン５１が嵌合され、第２のボタン穴６９ｂには電池残量チェックボタン５２が嵌合されている。そして、第３のボタン穴６９ｃにはメニュー簡易操作ボタン５３が嵌合され、第４のボタン穴６９ｄにはリセットボタン５４が臨まれている。これら４つの操作ボタン５１〜５４の操作部５１ａ，５２ａ，５３ａ，５４ａは、図１０Ａ，１０Ｂに示すように、樹脂材料によってボタン部成型体７３として一体に成型されている。
【００３４】
ボタン部成型体７３は、４つの操作部５１ａ〜５４ａと、その４つの操作部５１ａ〜５４ａを所定間隔あけて所定位置に支持するベース部７４と、このベース部７４と各操作部５１ａ〜５４ａとの間を連結するアーム部７４ａ，７４ｂ，７４ｃ，７４ｄとを有している。各アーム部７４ａ〜７４ｄは、各操作部５１ａ〜５４ａを両側から支持するように、それぞれ一対設けられている。各アーム部７４ａ〜７４ｄには、それぞれ弾性が付与されており、ことにより各操作部５１ａ〜５４ａが前後方向へ弾性的に移動可能とされている。更に、各操作部５１ａ〜５４ａの略中央部には、それぞれ背面側に突出する操作突起５１ｂ，５２ｂ，５３ｂ，５４ｂがそれぞれ設けられている。
【００３５】
ボタン部成型体７３のベース部７４には、ボタン部成型体７３を第１の樹脂プレート層６１に取り付けるための複数の挿通孔７５と、そのボタン部成型体７３を所定位置に位置決めするための２つの位置決め孔７６ａ，７６ｂが設けられている。このボタン部成型体７３は、平面部６２ａの内面の所定位置に設けた複数のカシメ用突起７７を各挿通孔７５に挿通した後、そのカシメ用突起７７をカシメることによって第１の樹脂プレート層６１に固定されている。
【００３６】
第２の樹脂プレート層６２は、第１の樹脂プレート層６１の平面部６１ａと同一平面となる前記平面部６２ａと、この平面部６２ａの下部に連続して背面側に突出された底面部６２ｂとを有している。第２の樹脂プレート層６２の平面部６２ａには、ＨＤＭＩ用出力端子が内側に臨まれる第１の出力端子用穴８１と、コンポーネント出力端子が内側に臨まれる第２の出力端子用穴８２と、イヤホンの接続ジャックが臨まれるイヤホン用穴８３と、マイクロホンの接続ジャックが臨まれるマイク用穴８４が設けられている。図１〜図４に示すように、２つの出力端子用穴８１，８２は、平面部６２ａに着脱可能に装着される第１のキャップ体８６ａによって開閉可能とされている。そして、２つの穴８３，８４は、同じく平面部６２ａに着脱可能に装着される第２のキャップ体８６ｂによって開閉可能とされている。
【００３７】
２つの出力端子用穴８１，８２と２つの穴８３，８４の平面部６２ａの内面周囲には、図６及び図８に示すように、それぞれの出力端子や接続ジャックを保持する保持部８５ａ，８５ｂ，８５ｃ，８５ｄが設けられている。また、第２の樹脂プレート層６２の底面部６２ｂには、三脚用のナット部が嵌合される嵌合穴８７ａと、そのナット部を位置決めする位置決め穴８７ｂが設けられている。
【００３８】
また、第１の樹脂プレート層６１の平面部６１ａの内面には、その一部の肉厚を他の部分よりも薄くした薄肉部８８ａと、その一部の肉厚を他の部分よりも厚くした厚肉部８８ｂが設けられている。薄肉部８８ａは、金属プレート層６０の後述する厚肉部を収容するためのものである。この薄肉部８８ａを第１の樹脂プレート層６１に設けることにより、金属プレート層６０の対応する部分における肉厚を厚くしつつ両部を加えた合計した肉厚を他の部分の肉厚と同じ値にすることができる。また、厚肉部８８ｂは、補強のために厚肉とされた部分である。
【００３９】
更に、平面部６１ａの内面には、金属プレート層６０を樹脂プレート層６１，６２にネジ止めするための複数のネジ止め凸部８９ａと、ネジの軸部が挿通される複数の挿通孔８９ｂが設けられている。なお、図６及び図８に示す符号９０は、表示装置４のパネルケース１１を収納位置に保持するロック爪が収納されるロック爪収納部である。このロック爪収納部９０にロック爪を収納することにより、その爪部が平面部６１ａの外面に突出される。この爪部にパネルケース１１の先端部を係合することにより、表示装置４が収納位置においてロックされる。
【００４０】
金属プレート層６０は、樹脂プレート層６１，６２の内側に一体的に組み付けられる骨子となる部分であり、金属プレート層６０と樹脂プレート層６１，６２によって筐体である外装ケースの一部をなす表示装置側パネル４２が構成されている。図９に示すように、金属プレート層６０は、第１の樹脂プレート層６１の内側に配置される平面部６０ａと、この平面部６０ａと一体的に形成されると共に第２の樹脂プレート層６２の内側に突出されて底面部６２ｂに当接される支持部６０ｂとを有している。
【００４１】
金属プレート層６０の平面部６０ａは、第１の樹脂プレート層６１の上面部６１ｂと下面部６１ｃと側面部６１ｄとで囲まれた空間内に収納されるようにその空間部に見合う外形を有している。この平面部６０ａに、記録媒体収納ホルダ６７が貫通する嵌合穴９１と、第１の樹脂プレート層６１の透光５５と連通される通気穴９２と、第１の樹脂プレート層６１に取り付けられたボタン部成型体７３の背面側を露出させる成型体用穴９３が設けられている。嵌合穴９１は、嵌合穴６８よりも一回り大きく形成されている。通気穴９２は、多数の透孔５５が寄せ集まったと同様の形状を有しており、この実施例では横長の楕円形とされている。また、成型体用穴９３は、ボタン部成型体７３の４つの操作部５１ａ〜５４ａを連続させた形に見合った形状とされている。
【００４２】
更に、金属プレート層６０の平面部６０ａのうち、第１の樹脂プレート層６１のロック爪収納部９０と対応する位置には、図示しないロック爪機構が収納される第１の切欠き部９４が設けられている。この第１の切欠き部９４の上下両側に、第１の樹脂プレート層６１の側面部６１ｄに設けた第２及び第３の係合爪６６ｂ，６６ｃに対して着脱可能に係合される凹部からなる２つの爪受部９５が設けられている。平面部６０ａの第１の切欠き部９４と反対側には、第１の樹脂プレート層６１の厚肉部８８ｂが係合される第２の切欠き部９６が設けられている。この平面部６０ａのうち、第２の切欠き部９６の内側に連続する部分に、他の部分よりも肉厚を厚くした厚肉部９７ａが設けられている。この厚肉部９７ａの第２の切欠き部９６側に前述した放熱部７０が外面側へ突出するように設けられている。
【００４３】
金属プレート層６０の支持部６０ｂは、平面部６０ａの下端に連続されると共に横方向に所定の隙間をあけて設けた２つのＬ字状をなす脚体部９８ａ，９８ａと、２つの脚体部９８ａ，９８ａ間を連結するベース部９８ｂを有している。この２つの脚体部９８ａ，９８ａとベース部９８ｂとで囲まれた空間内に前記第２の出力端子用穴８２とイヤホン用穴８３とマイク用８４とが臨まれる。そして、ベース部９８ｂが第２の樹脂プレート層６２の支持部６２ｂに当接される。この金属プレート層６０の適当な位置には、必要な数のネジ止め凸部９９ａや挿通孔９９ｂが設けられている。これらネジ止め凸部９９ａ及び挿通孔９９ｂは、金属プレート層６０を樹脂プレート層６１，６２と締結したり、次に述べる電子機器本体１００を固定するために使用したり、その電子機器本体１００や他の装置等のために必要とされる電子部品や機械部品その他を取り付けるため等に使用される。
【００４４】
このような構成を有する金属プレート層６０と樹脂プレート層組立体５９を、図７に示すように対向させる。そして、金属プレート層６０に設けた２つの爪受部９５，９５を、第１の樹脂プレート層６１に設けた２つの係合爪６６ｂ，６６ｃに係合させ、両係合爪６６ｂ，６６ｃを差し込みながら金属プレート層６０を押し付けて、第１の樹脂プレート層６１に設けた第１の係合爪６６ａを乗り越えさせる。これにより、金属プレート層６０の平面部６０ａが第１の樹脂プレート層６１の平面部６１ａに密着されると共に、金属プレート層６０の支持部６０ｂが第２の樹脂プレート層６２に設けた底面部６２ｂに密着される。その結果、金属プレート層６０と樹脂プレート層組立体５９は、図６、図１２及び図１３に示すように、互いに密着されて一体化された状態に結合される。なお、ボタン部成型体７３は、金属プレート層６０と樹脂プレート層組立体５９を合体する前に第１の樹脂プレート層６１に取り付けておく。
【００４５】
この場合、金属プレート層６０の放熱部７０は第１の樹脂プレート層６１の放熱嵌合穴７１に嵌合される。そして、金属プレート層６０の嵌合穴９１が第１の樹脂プレート層６１の嵌合穴６８に対向され、通気穴９２が透孔５５に対向されると共に、４つのボタン穴６９ａ〜６９ｄに対向される。更に、金属プレート層６０の厚肉部９７ａが第１の樹脂プレート層６１の薄肉部８８ａに嵌り込み、第２の切欠き部９６に第１の樹脂プレート層６１の厚肉部８８ｂが嵌り合う。
【００４６】
金属プレート層６０の材質としては、例えば、マグネシウム合金が好適である。しかしながら、その他の金属、例えば、アルミニウム合金、銅合金、ステンレス鋼、スチール鋼等を用いることができることは勿論である。また、樹脂プレート層６１，６２の材質としては、例えば、ＡＢＳ（アクリロニトリル・ブタジエン・スチレン樹脂）、ＰＣ（ポリカーボネート）とＡＢＳの混合材料等のプラスチックが好適である。しかしながら、樹脂プレート層６１，６２の材料として、その他のエンジニアリングプラスチックを適用できることは勿論である。
【００４７】
図１１〜図１４に示すように、上述したような構成を有する表示装置側パネル４２と駆動装置側パネル４１との間に挟まれるようにして電子機器本体の一具体例を示すカメラ本体１００が取り付けられている。図１１は、外装ケース２をレンズ装置３の光軸方向と直交する縦方向に断面すると共に、カメラ本体１００を取り除いた状態を示すものである。表示装置側パネル４２と駆動装置側パネル４１によって中空の筒体が構成されている。図１４は、表示装置側パネル４２の金属プレート層６０にカメラ本体１００を取り付けると共に、二点鎖線によって樹脂プレート層組立体５９と駆動装置側パネル４１とを書き加えた状態を模式図的に示している。
【００４８】
カメラ本体１００は、その概略の形態のみを示しているが、レンズ装置３を保持するフレーム部と、そのフレーム部に取り付けられる制御回路部等を備えて構成されている。フレーム部は、主に強度を確保するために使用されるステンレス鋼等の板金材料からなるベースプレートと、主に熱を効率よく伝達するために使用される銅板等の板金材料からなる熱伝導プレートとによって構成されている。このフレーム部に熱伝導プレートを用いるのは、カメラ本体１００には、動作時に大きく発熱する電子部品や装置が含まれているためである。
【００４９】
この種の発熱を生じる発熱部である電子部品や装置等としては、例えば、撮像素子（ＣＣＤやＣＭＯＳ等）や制御回路部に使用されているマイクロコンピュータ、コンデンサ、抵抗その他の電子部品、或いはバッテリー電源等を挙げることができる。そのため、これらの発熱部品と金属プレート層６０を熱伝導プレートによって熱的に伝導効率良く連結し、発熱部品から発生した熱を早期に金属プレート層６０まで伝導できるようにする。そして、金属プレート層６０の放熱部７０や外装ケース２のその他の放熱部から積極的に放熱できるようにする。
【００５０】
図１２及び図１３は、フレーム部の熱伝導プレート１０１に、撮像素子１０２や多数の電子部品１０３が搭載された回路基板１０４を接触させた状態を説明するそれぞれ説明図である。回路基板１０４の一面には撮像素子１０２が実装され、その他面には多数の電子部品が実装されている。この回路基板１０４の一面に熱伝導プレート１０１の一部が対向されていて、その熱伝導プレート１０１に膨出部１０１ａを設け、その膨出部１０１ａを回路基板１０４の一面に接触させている。
【００５１】
熱伝導プレート１０１の一部は、放熱シート１０５を介して金属プレート層６０の平面部６０ａに接続されており、この放熱シート１０５によって熱を積極的に金属プレート層６０へ伝導するように構成している。放熱シート１０５としては、例えば、シリコンゴムシート等をあげることができる。しかしながら、放熱シートの材質としては、このシリコンゴムに限定されるものではなく、放熱性に優れた他の材料を用いることができることは勿論である。
【００５２】
この際、金属プレート層６０に伝達された熱は、肉厚とされた厚肉部９７ａを介して放熱部７０に集められるが、放熱部７０の外面には防傷シート５６が貼り付けられており、その防傷シート５６に操作者が直接触ることがない。そのため、操作者が高い触感温度を感じることがなく、違和感の発生を防止することができる。
【００５３】
図１５Ａ，１５Ｂ及び図１６Ａ，１６Ｂは、カメラ本体１００とその側面に取り付けた金属プレート層６０の温度状態を説明するもので、図１５Ａは側面図、図１５Ｂは図１５Ａの発熱状態を写真で撮影した説明図、図１６Ａは底面図、図１６Ｂは図１６Ａの発熱状態を写真で撮影した説明図である。図１５Ｂ及び図１６Ｂにおいて、白色で現れた略四角形をなす部分は、カラー写真では黄色として現れており、この枠部分の内側が高温領域（色では赤色）で、外側が低温領域（色では緑色若しくは青色）である。本願発明によれば、金属プレート層６０の略全体を万遍なく高温とすることができるため、放熱効率を高めることができる。
【００５４】
以上説明したように、本発明によれば、電子機器において、高温となる基板実装部品は、放熱グリスや放熱シートを介し、熱伝導率の高い金属に接続され、外気に放熱を行っているが、放熱金属部品において金属プレート層は板金部品に比べると自由な形状にすることが可能であるため、マグネシウム合金のような金属プレート層が筐体として採用されることが多い。しかしながら、金属は樹脂プレート層に比べて表面の触感温度が高いため、機器の使用者が触れることが多い箇所に金属プレート層が露出していると、低温火傷を起こすおそれがある。そのため、本願発明のように、樹脂プレート層で金属プレート層を完全に覆うことにより、上記のような不具合の発生を防止することができる。そして、樹脂プレート層を貫通させて金属プレート層にネジ止めすることにより、樹脂プレート層と金属プレート層を完全に一体化させることができる。しかも、肉厚の制限から２層構造とできない部分は、金属プレート層のみの１層構造とする一方、その表面に防傷シートのようなシート部材を接着することにより、総肉厚を増加させることなく、安全性の向上を図ることができる。
【００５５】
今後、携帯型電子機器は、更なる小型化高機能化が予想され、高機能化により発熱量が増加する一方、小型化によって放熱面積が減少するため、電子機器の内部温度は更に上昇していくものと思われる。従って、放熱効果を高めるためには、マグネシウム合金のような熱伝導率の高い材料のダイカスト品が機器の筐体として用いられることが予想されるが、その際にも、内部温度が高温となる電子機器の場合には、使用者に熱的な異常を感じさせる程に体感温度が高温となることがある。このような場合においても、本願発明によれば、金属プレート層の外側を樹脂プレート層で覆うため、電子機器に対する使用者の体感温度を低下させることが可能となる。
【００５６】
更に、電子機器の筐体の剛性の点についても、金属プレート層を樹脂プレート層内部の骨格とすることでプラスチック単体の構造よりも大幅な剛性の向上を図ることができる。しかも、余分な肉厚は削除できるため、電子機器の小型化、軽量化も実現することができる。更に、電子機器の体裁面を樹脂プレート層とすることにより、体裁面をダイカスト品とする場合に比べて、塗装、スパッタ、印刷、刻印等の加飾の選択幅を増やすことができ、高品位な体裁を実現することができる。また、ダイカスト部品は、モールド部品のように常に同じレベルのものが鋳造できるわけではなく、外観不良も出やすく体裁として問題のない物が鋳造できる歩留まりはモールド部品に比べて低く、結果として体裁加飾を行うダイカスト品は高コストになるが、本発明によれば、樹脂プレート層と金属プレート層との２層構造とすることにより、相対的に低コストが実現可能となる。
【００５７】
また、ダイカスト部品が他部品と電気的導通を取るには、その接触面は塗装等の抵抗があってはいけないため、ダイカスト部品を加飾する際には、電気的導通面はマスキング等の処理を行わなければならず、加飾コストが増加していた。しかしながら、本発明によれば、樹脂プレート層を体裁面に出すことにより、内部の金属プレート層は自由に電気的導通を取ることができることから、外部の思わぬ静電気が内部回路に影響を及ぼすことがない、等の効果が得られる。
【００５８】
本発明は、前述しかつ図面に示した実施の形態に限定されるものではなく、その要旨を逸脱しない範囲内で種々の変形実施が可能である。例えば、前記実施例では、撮像装置の具体例としてデジタルビデオカメラに適用した例について説明したが、アナログビデオカメラに適用できることは勿論のこと、電子スチルカメラ、ＤＳＣ等の撮像装置、パーソナルコンピュータ、携帯電話、ＰＨＳ、通信機器、パソコンの端末装置、電子辞書、ＤＶＤプレーヤ、カーナビゲーションその他各種の電子機器に適用できるものである。特に、小型で種類の多い物（仕向け地、機種が多い物）等に用いると好適である。
【図面の簡単な説明】
【００５９】
【図１】本発明の筐体を備えた電子機器の第１の実施の例を示すもので、デジタルビデオカメラを正面側から見た斜視図である。
【図２】本発明の筐体を備えた電子機器の第１の実施の例を示すもので、デジタルビデオカメラの表示装置を開いて背面側から見た斜視図である。
【図３】本発明の筐体を備えた電子機器の第１の実施の例を示すもので、デジタルビデオカメラの表示装置を開いた側面図である。
【図４】本発明の電子機器の筐体の第１の実施の例を示す外面から見た説明図である。
【図５】本発明の電子機器の筐体の第１の実施の例を示す外面から見た斜視図である。
【図６】本発明の電子機器の筐体の第１の実施の例を示す内面から見た斜視図である。
【図７】本発明の電子機器の筐体の第１の実施の例を示すもので、樹脂プレート層と金属プレート層の結合前の状態の斜視図である。
【図８】本発明の電子機器の筐体の第１の実施の例を示すもので、樹脂プレート層を内面から見た斜視図である。
【図９】本発明の電子機器の筐体の第１の実施の例を示すもので、金属プレート層を内面から見た斜視図である。
【図１０】本発明の電子機器の筐体の第１の実施の例に係るボタン部成型体を示すもので、図１０Ａは正面側から見た斜視図、図１０Ｂは背面側から見た斜視図である。
【図１１】図３のＸ−Ｘ線断面図である。
【図１２】図４のＹ−Ｙ線断面図である。
【図１３】図４のＺ−Ｚ線断面図である。
【図１４】本発明の電子機器の筐体の第１の実施の例と電子機器本体との関係を示す説明図である。
【図１５】本発明の電子機器の筐体の金属プレート層と電子機器本体との関係を説明するもので、図１５Ａは側面図、図１５Ｂは図１５Ａの熱分布を示す説明図である。
【図１６】本発明の電子機器の筐体の金属プレート層と電子機器本体との関係を説明するもので、図１６Ａは底面図、図１６Ｂは図１６Ａの熱分布を示す説明図である。
【符号の説明】
【００６０】
１…デジタルビデオカメラ（電子機器）、  ２…外装ケース（筐体）、  ３…レンズ装置、  ４…表示装置、  ４１…駆動装置側パネル、  ４２…表示装置側パネル、  ５６…防傷シート、  ５９…樹脂プレート層組立体、  ６０…金属プレート層、  ６０ａ…平面部、  ６０ｂ…支持部、  ６１，６２…樹脂プレート層、  ６１ａ，６２ａ…平面部、  ７０…放熱部、  ７１…放熱嵌合穴、  ７３…ボタン部成型体、  ８８ａ…薄肉部、  ９７ａ…厚肉部、  １００…カメラ本体（電子機器本体）、  １０１…熱伝導プレート、  １０２…撮像素子（発熱部）、  １０３…電子部品、  １０４…回路基板、  １０５…放熱シート
【図１】
2008164799.tif 000003
【図２】
2008164799.tif 000004
【図３】
2008164799.tif 000005
【図４】
2008164799.tif 000006
【図５】
2008164799.tif 000007
【図６】
2008164799.tif 000008
【図７】
2008164799.tif 000009
【図８】
2008164799.tif 000010
【図９】
2008164799.tif 000011
【図１０】
2008164799.tif 000012
【図１１】
2008164799.tif 000013
【図１２】
2008164799.tif 000014
【図１３】
2008164799.tif 000015
【図１４】
2008164799.tif 000016
【図１５】
2008164799.tif 000017
【図１６】
2008164799.tif 000018